(57)【特許請求の範囲】
【請求項１】
紙葉類処理装置が、処理対象の紙葉類を判別し、処理券であると判別された紙葉類を計数するとともに、排除券であると判別した紙葉類を集積するステップと、
紙葉類計数装置が、集積部に集積された排除券を計数し、前記排除券の計数結果の情報を前記紙葉類処理装置に送信するステップと、
前記紙葉類処理装置が、前記紙葉類計数装置により送信された前記排除券の計数結果の情報を受信するステップと、
前記紙葉類処理装置が、オペレータの操作を受け付けて前記紙葉類の計数結果を入力するステップと、
前記紙葉類処理装置が、前記受信した排除券の計数結果の情報が表す排除券の計数結果と前記オペレータの操作に基づく紙葉類の計数結果とを加算し、加算した計数結果を紙葉類の計数結果として表示部に表示させるステップと、
を備える、紙葉類処理方法。
【請求項２】
紙葉類処理装置が、処理対象の紙葉類を判別し、処理券であると判別された紙葉類を計数するとともに、排除券であると判別した排除券のうち第１の排除券を第１の集積部に集積するとともに、前記紙葉類の判別不能と判定したことに基づいて第２の集積部に第２の排除券を集積するステップと、
紙葉類計数装置が、前記第２の集積部に集積された第２の排除券を計数し、計数した前記第２の排除券の計数結果の情報を前記紙葉類処理装置に送信するステップと、
前記紙葉類処理装置が、前記紙葉類計数装置により送信された前記第２の排除券の計数結果の情報を受信するステップと、
前記紙葉類処理装置が、オペレータの操作を受け付けて前記第１の集積部に集積された第１の排除券を計数した計数結果を入力するステップと、
前記紙葉類処理装置が、前記オペレータの操作に基づく前記第１の排除券を計数した計数結果に、受信した前記第２の排除券の計数結果の情報が表す紙葉類の計数結果を加算して、前記処理対象の紙葉類の計数結果を算出するステップと、
を備える、紙葉類処理方法。
【発明の詳細な説明】
【技術分野】
【０００１】
本発明の実施形態は、紙葉類処理方法、および紙葉類処理システムに関する。
【背景技術】
【０００２】
従来、紙幣等の紙葉類を、種類や損傷度合いに基づいて分類する紙葉類処理装置が知られている。この紙葉類処理装置は、例えば、紙葉類の判別結果や紙葉類の装置内部の搬送状態に基づいて、処理対象の紙葉類を処理券と排除券とに分類する。しかしながら、従来において、排除券を人手により計数した場合に、紙葉類の処理効率が低下する場合があった。
【先行技術文献】
【特許文献】
【０００３】
【特許文献１】特開２００１−２４３５１９号公報
【発明の概要】
【発明が解決しようとする課題】
【０００４】
本発明が解決しようとする課題は、紙葉類の処理効率を向上させることができる紙葉類処理方法、および紙葉類処理システムを提供することである。
【課題を解決するための手段】
【０００５】
実施形態の紙葉類処理方法は、紙葉類を集積するステップと、情報を送信するステップと、情報を受信するステップと、紙葉類の計数結果を入力するステップと、表示部に表示させるステップと、を持つ。処理対象の紙葉類を判別し、処理券であると判別された紙葉類を計数するとともに、排除券であると判別した紙葉類を集積する。情報を送信するステップは、紙葉類計数装置が、集積部に集積された排除券を計数し、前記排除券の計数結果の情報を前記紙葉類処理装置に送信する。情報を受信するステップは、前記紙葉類処理装置が、前記紙葉類計数装置により送信された前記排除券の計数結果の情報を受信する。紙葉類の計数結果を入力するステップは、前記紙葉類処理装置が、オペレータの操作を受け付けて前記紙葉類の計数結果を入力する。紙葉類の計数結果を算出するステップは、前記受信した排除券の計数結果の情報が表す排除券の計数結果と前記オペレータの操作に基づく紙葉類の計数結果とを加算し、加算した計数結果を紙葉類の計数結果として表示部に表示させる。
【図面の簡単な説明】
【０００６】
【図１】第１の実施形態の紙葉類処理システムの全体構成を概略的に示す図。
【図２】処理対象の紙葉類Ｐを示す構成図。
【図３】実施形態の紙葉類処理装置１の全体構成を概略的に示す図。
【図４】実施形態の判別処理部２００の構成の概略を示す図。
【図５】実施形態の紙葉類処理装置１のブロック図。
【図６】実施形態の紙葉類計数装置１００の外観を示す構成図。
【図７】実施形態の紙葉類計数装置１００の機能を示す構成図。
【図８】実施形態の紙葉類処理装置１の計数結果、および実施形態の紙葉類計数装置１００の計数結果を示す図。
【図９】実施形態の紙葉類処理システムの全体の処理の流れを示すフローチャート。
【図１０】実施形態の紙葉類処理装置１において処理対象の紙葉類Ｐの計数結果３００を生成する処理の流れを示すフローチャート。
【図１１】実施形態の紙葉類処理装置１に表示させる手入力画面４００の一例を示す図。
【発明を実施するための形態】
【０００７】
以下、実施形態の紙葉類処理方法、および紙葉類処理システムを、図面を参照して説明する。
【０００８】
（第１の実施形態）
図１は、実施形態の紙葉類処理システムの全体構成を概略的に示す図である。紙葉類処理装置１の処理対象の紙葉類Ｐは、例えば紙幣であるが、紙葉類処理装置１は、郵便物、あるいは各種カードまたはチケットなど、紙幣以外の紙葉類Ｐを処理するものであってよい。
【０００９】
紙葉類処理システムは、紙葉類処理装置１と、紙葉類計数装置１００とを備える。紙葉類処理装置１と紙葉類計数装置１００とは、通信ケーブル５０により接続される。通信ケーブル５０は、情報が送受信可能な通信線であり、例えばＵＳＢ（Universal Serial Bus）ケーブルやシリアルケーブルである。
【００１０】
紙葉類処理装置１は、例えば、メインモジュール１０と、整列モジュール３０と、施封モジュール６０とを備える。メインモジュール１０、整列モジュール３０および施封モジュール６０は、この順で一列に並んで配置される。また、メインモジュール１０、整列モジュール３０および施封モジュール６０は、互いに電気的かつ機械的に連結されている。
【００１１】
メインモジュール１０は、例えば、モニタ２６、リジェクト部１８ａおよび１８ｂ、および集積庫１９ａ、１９ｂ、１９ｃおよび１９ｄを備える。モニタ２６は、例えば、ＬＣＤ（Liquid Crystal Display）や有機ＥＬ（Electroluminescence）表示装置である。リジェクト部１８ａおよび１８ｂは、紙葉類処理装置１により排除された紙葉類Ｐが集積される装填カセットである。集積庫１９ａ、１９ｂ、１９ｃおよび１９ｄは、紙葉類処理装置１により処理された紙葉類Ｐが集積される装填カセットである。整列モジュール３０は、複数の集積庫３６ａ、３６ｂ、３６ｃ、および３６ｄを備える。集積庫３６ａ、３６ｂ、３６ｃ、および３６ｄには、整列モジュール３０により処理された紙葉類Ｐが集積される。施封モジュール６０は、取り出し口６０Ａを備える。取り出し口６０Ａには、施封モジュール６０により施封処理がされた１００枚束が搬送される。リジェクト部１８ａおよび１８ｂ、集積庫１９ａ、１９ｂ、１９ｃおよび１９ｄ、集積庫３６ａ、３６ｂ、３６ｃ、および３６ｄ、および取り出し口６０Ａに搬送された紙葉類Ｐは、例えば、オペレータにより取り出し可能になっている。
【００１２】
図２は、処理対象の紙葉類Ｐを示す構成図である。複数の紙葉類Ｐは、紙葉類Ｐの厚さ方向に集積されて供給部１１に収容される。複数枚の紙葉類Ｐには、バッチカードＢＣ（記憶媒体）が挟まれてもよい。バッチカードＢＣは、例えば、紙葉類Ｐと同一の外径寸法に形成され、紙基材にバーコードＢＣａが印刷される。バーコードＢＣａには、例えば、バッチカード番号、アカウント番号、および紙葉類Ｐの計数合計量がエンコードされる。紙葉類Ｐの計数合計量は、例えば、紙葉類Ｐの全枚数、または紙葉類Ｐが紙幣である場合における合計金額である。
【００１３】
図３は、実施形態の紙葉類処理装置１の全体構成を概略的に示す図である。まず、紙葉類処理装置１による紙葉類Ｐの振分け処理について説明する。図３に示されるように、メインモジュール１０は、供給部１１と、ローラ１２と、搬送路１４と、搬送部１５と、バーコードリーダ１６と、搬送路１７と、リジェクト部１８ａおよび１８ｂと、集積庫１９ａ、１９ｂ、１９ｃおよび１９ｄとを備える。供給部１１には、処理対象の複数枚の紙葉類Ｐが載置される。ローラ１２は、供給部１１から紙葉類Ｐを１枚ずつ送り出す。搬送路１４は、ローラ１２によって送り出された紙葉類Ｐを搬送する。搬送路１４には、複数組の図示しない無端状の搬送ベルトが搬送路を挟むように延設されている。ローラ１２によって送り出された紙葉類Ｐは、搬送ベルトに挟持されて搬送される。
【００１４】
搬送路１４は、ローラ１２を通過した位置から判別処理部２００に向けて傾斜して延びている。これにより、供給部１１から紙葉類Ｐとともに、クリップ、コイン、ピン等の異物が搬送路１４に送り出された際、異物は重力により搬送路１４の最下部に落下する。これにより、異物が判別処理部２００に入ることを防止し、異物による判別処理部２００の損傷を未然に防止することができる。搬送路１４の最下部には、異物回収部１３が設けられている。異物回収部１３は、例えば、装置本体から引き出し可能な回収箱を備える。搬送路１４に沿って落下する異物は、異物回収部１３に落下して回収される。
【００１５】
搬送部１５は、搬送されている紙葉類Ｐと紙葉類Ｐの間隔が所定の間隔となるように紙葉類Ｐの搬送速度を調整し、紙葉類Ｐを判別処理部２００へと搬送する。判別処理部２００は、紙葉類Ｐの種類や、紙葉類Ｐの真偽、紙葉類Ｐの異常（破れ、折れ、汚れ、２枚取り等）を検出する。また、判別処理部２００は、搬送された紙葉類Ｐの画像を検出する。紙葉類Ｐの画像としては、透過画像および反射画像が含まれる。さらに、判別処理部２００は、励起光検出装置を用いて、紙葉類Ｐに印刷された発光体から発光された励起光を検出する。さらに、判別処理部２００は、紙葉類Ｐに含まれた磁性体から発せられた磁気を検出する。判別処理部２００は、検出された画像、励起光、および磁気に基づいて、紙葉類Ｐの種類、真偽、汚損度等のうち少なくとも一つを判別する。また、判別処理部２００は、検出された画像に基づき、紙葉類Ｐの表裏の向きを検出する。さらに、判別処理部２００は、異常が判別されなかった紙葉類Ｐ（処理券）の枚数を計数する。
【００１６】
メインモジュール１０は、紙葉類Ｐの異常が検出された場合、紙葉類Ｐを搬送路１７に沿って搬送し、判別処理部２００により判別された異常の種類に基づいて紙葉類Ｐをリジェクト部１８ａまたは１８ｂに振り分けて集積する。一方、メインモジュール１０は、判別処理部２００により紙葉類Ｐの異常が検出されなかった場合、紙葉類Ｐを搬送路１７に沿って搬送し、紙葉類Ｐの種類に基づいて紙葉類Ｐを集積庫１９ａ、１９ｂ、１９ｃおよび１９ｄの何れかに振り分けて集積する。
【００１７】
具体的には、メインモジュール１０は、図示しないゲートにより、紙葉類Ｐを、リジェクト券（排除券）と処理券とに振り分ける。リジェクト券とは、判別処理部２００により、偽券と判別された券、または、折れ、破れ、スキュー、２枚取りなどにより判別不能な券と判定された券をいう。スキューとは、搬送方向と直交する方向に対して、紙葉類Ｐが斜めに傾斜した状態を言う。メインモジュール１０は、例えば、偽券と判別された紙葉類Ｐをリジェクト部１８ａに振り分け、判別不能券と判定された紙葉類Ｐをリジェクト部１８ｂに振り分ける。処理券であると判別された紙葉類Ｐに関する判別処理部２００の計数結果は、第１の主制御部２０に送信される。処理券に関する計数結果は、例えば、紙葉類Ｐの種類毎の枚数、紙葉類Ｐの合計金額等である。
【００１８】
メインモジュール１０は、バッチカードＢＣが供給部１１から搬送路１７に搬送された場合に、バーコードリーダ１６によりバーコードＢＣａを読み取る。バーコードリーダ１６は、バーコードＢＣａの情報を解析して、バッチカード番号、アカウント番号、および紙葉類Ｐの計数合計量を含む情報を第１の主制御部２０に送信する。紙葉類Ｐの計数合計量は、紙葉類Ｐの処理を依頼する依頼者が申告した値である。以上が、紙葉類Ｐの振分け処理である。
【００１９】
次に、紙葉類Ｐの整列処理について説明する。整列処理は、紙葉類Ｐの位置や表裏を揃えて種類ごとに集積する処理である。メインモジュール１０と施封モジュール６０との間に設けられた整列モジュール３０は、搬送路３１および３５と、整列部３２と、反転部３４と、複数の集積庫３６ａ、３６ｂ、３６ｃ、および３６ｄとを備える。
【００２０】
搬送路３１は、メインモジュール１０から送られた紙葉類Ｐを搬送する。整列部３２は、紙葉類Ｐを整列させる。整列部３２は、メインモジュール１０から送られてくる紙葉類Ｐの中心を、紙葉類Ｐの搬送方向と交差する方向の所定の基準位置に合わせる。また、整列部３２は、スキューしている紙葉類Ｐの先端部が搬送方向に交差するように、紙葉類Ｐの向きを補正する。
【００２１】
反転部３４は、整列部３２に対する搬送方向の下流側に設けられ、紙葉類Ｐの表裏の向きを反転させる。搬送路３５は、反転部３４へと紙葉類Ｐを搬送する。紙葉類Ｐの整列処理が行われる際に、各紙葉類Ｐの表裏の向きを揃える必要が生じる。このため、判別処理部２００は、紙葉類Ｐの画像を読み取って紙葉類Ｐの表裏を検出し、検出結果を整列モジュール３０に送信する。整列モジュール３０は、判別処理部２００による表裏の検出結果に応じて、反転部３４を用いて紙葉類Ｐの表裏を反転するか否かの動作を切り替える。
【００２２】
整列モジュール３０は、紙葉類Ｐの表裏を反転させない場合、搬送路３１に沿って紙葉類Ｐを搬送し、紙葉類Ｐの種類に基づいて集積庫３６ａ、３６ｂ、３６ｃまたは３６ｄに振り分けて集積する。一方、整列モジュール３０は、紙葉類Ｐの表裏を反転させる場合、搬送路３５に沿って紙葉類Ｐを搬送する。反転部３４は、内部にひねり搬送路を備え、紙葉類Ｐを搬送しながら紙葉類Ｐの表裏の向きを反転させる。その後、整列モジュール３０は、反転部３４によって表裏が反転された紙葉類Ｐを搬送し、紙葉類Ｐの種類に基づいて紙葉類Ｐを集積庫３６ａ、３６ｂ、３６ｃまたは３６ｄに振り分けて集積する。以上が、紙葉類Ｐの整列処理である。
【００２３】
なお、整列モジュール３０は、向きを整えられた紙葉類Ｐをメインモジュール１０に戻し、紙葉類Ｐを集積庫１９ａ、１９ｂ、１９ｃまたは１９ｄに振り分けて集積させてもよい。また、整列モジュール３０内の集積庫３６ａ、３６ｂ、３６ｃ、および３６ｄは、異常が検出された紙葉類Ｐを集積するリジェクト部として用いられてもよい。
【００２４】
次に、紙葉類Ｐの施封処理について説明する。施封処理は、紙葉類Ｐの１００枚束を帯で留める処理である。なお、実施形態では、紙葉類Ｐを１００枚という所定枚数で処理をするが、これに限らない。施封モジュール６０は、搬送路６２と、第１集積部６４ａおよび第２集積部６４ｂと、搬送トレイ６６と、施封部６８と、排出部６９とを備える。搬送路６２は、整列モジュール３０の搬送路３１に接続される。第１集積部６４ａおよび第２集積部６４ｂは、紙葉類Ｐを１００枚ずつ集積する。搬送トレイ６６は、紙葉類Ｐの１００枚束を搬送する。施封部６８は、紙葉類Ｐの１００枚束を帯により施封する。第２集積部６４ｂは、第１集積部６４ａに対して斜め下方向にずれて配置され、施封部６８は、第２集積部６４ｂの下方に配置されている。更に、施封部６８により施封された紙葉類Ｐの１００枚束を受取って集積する排出部６９が、施封部６８の下方に設けられている。
【００２５】
施封モジュール６０は、整列モジュール３０から搬送された紙葉類Ｐの種類に基づいて、第１集積部６４ａおよび第２集積部６４ｂのいずれかに紙葉類Ｐを搬送する。第１集積部６４ａおよび第２集積部６４ｂは、搬送された紙葉類Ｐを１００枚集積する。
【００２６】
搬送トレイ６６は、図３の矢印方向に移動可能に設けられている。第１集積部６４ａに所定枚数の紙葉類Ｐが集積されると、搬送トレイ６６は第１集積部６４ａの位置へ移動し、紙葉類Ｐの１００枚束を受け取る。また、第２集積部６４ｂに所定枚数の紙葉類Ｐが集積されると、搬送トレイ６６は第２集積部６４ｂの位置へ移動し、紙葉類Ｐの１００枚束を受け取る。
【００２７】
搬送トレイ６６は、紙葉類Ｐの１００枚束を受け取った後、施封部６８の位置まで下降し、施封部６８へ紙葉類Ｐの１００枚束を渡す。施封部６８は、搬送トレイ６６から受け取った紙葉類Ｐの１００枚束に帯を巻き付ける。また、施封部６８は、紙葉類Ｐの１００枚束の帯に所定の情報を印字する。帯に印字される情報は、例えば日時、シリアル番号または銀行のロゴ等である。これらの情報は、例えば、インクジェットプリンタ、ドットプリンタまたはレーザプリンタ等を用いて印字される。施封部６８は、帯への印字が完了した後、紙葉類Ｐの１００枚束を、取り出し口６０Ａに繋がる排出部６９へと排出する。なお、施封部６８は、紙葉類Ｐの種類に基づいて位置を変えて紙葉類Ｐの１００枚束を排出する。以上が、紙葉類Ｐの施封処理である。
【００２８】
以下、判別処理部２００について説明する。図４は、実施形態の判別処理部２００の構成の概略を示す図である。判別処理部２００は、複数の搬送ローラ２０５ａ、２０５ｂ、２０５ｃ、２０５ｄ、２０５ｅ、２０５ｆ、２０５ｇ、２０５ｈ、２０５ｉ、２０５ｊ、および２０５ｋを備える。判別処理部２００は、図示しないモータ等から各搬送ローラに駆動トルクを供給させ、各搬送ローラを回転駆動させる。これにより、判別処理部２００は、搬送路２０５Ａに沿って、紙葉類Ｐが図中に右側から左側へと所定の搬送速度で搬送される。本実施形態において、紙葉類Ｐは、上面を図中上方に向け、下面を図中下方に向けて搬送される。
【００２９】
判別処理部２００は、例えば、透過画像検出部２１０と、上面反射画像検出部２２０と、下面反射画像検出部２３０と、上面励起光検出部２４０と、磁気検出部２５０と、下面励起光検出部２６０と、厚さ検出部２７０と、検知情報処理部２８０とを備える。
【００３０】
透過画像検出部２１０は、紙葉類Ｐの透過画像を検出する。透過画像検出部２１０は、例えば、紙葉類Ｐの上面に配置された光源と、紙葉類Ｐの下面に配置された画像センサとを備える。透過画像検出部２１０は、紙葉類Ｐが搬送されるタイミングで光源から光を照射させ、画像センサにより紙葉類Ｐを透過した光を検出させる。これにより透過画像検出部２１０は、画像センサにより透過画像信号を生成させる。透過画像検出部２１０は、生成された透過画像信号を検知情報処理部２８０に供給する。
【００３１】
上面反射画像検出部２２０は、紙葉類Ｐの上面の反射画像を検出する。上面反射画像検出部２２０は、例えば、紙葉類Ｐの上面に配置された発光部および受光部を備える。発光部は、例えば、複数個のＬＥＤ（Light Emitting Diode）を一列に配列したＬＥＤアレイである。ＬＥＤは、可視光または近赤外光である。受光部は、ＬＥＤアレイに対応してフォトダイオードを配列したフォトダイオードアレイ、またはＣＣＤ（Charge Coupled Device）を有する１次元画像読み取りセンサである。
【００３２】
上面反射画像検出部２２０は、紙葉類Ｐが搬送されるタイミングで発光部から光を照射させ、受光部により紙葉類Ｐの上面からの反射光を検出させる。上面反射画像検出部２２０は、搬送方向における所定幅ごとに上面反射画像信号を生成する。上面反射画像検出部２２０は、生成された上面反射画像信号を検知情報処理部２８０に供給する。
【００３３】
下面反射画像検出部２３０は、紙葉類Ｐの下面の反射画像を検出する。下面反射画像検出部２３０は、例えば、紙葉類Ｐの下面に配置された発光部および受光部を備える。発光部および受光部は、上面反射画像検出部２２０と同様に構成される。下面反射画像検出部２３０は、紙葉類Ｐが搬送されるタイミングで発光部から光を照射させ、受光部により紙葉類Ｐの下面からの反射光を検出させる。下面反射画像検出部２３０は、搬送方向における所定幅ごとに下面反射画像信号を生成する。下面反射画像検出部２３０は、生成された下面反射画像信号を検知情報処理部２８０に供給する。
【００３４】
上面励起光検出部２４０は、紙葉類Ｐの上面の励起光を検出する。上面励起光検出部２４０により検出される励起光には、蛍光および燐光が含まれる。上面励起光検出部２４０は、紙葉類Ｐの上面において検出された蛍光を示す上面蛍光信号を検知情報処理部２８０に供給する。上面励起光検出部２４０は、紙葉類Ｐの上面において検出された燐光を示す上面燐光信号を検知情報処理部２８０に供給する。
【００３５】
磁気検出部２５０は、紙葉類Ｐの磁気特性を検出する。磁気特性は、例えば紙葉類Ｐに含まれる磁性体量である。磁気検出部２５０は、例えば磁気ヘッドである。磁気ヘッドは、例えば、コア（鉄芯）に逆方向に一次コイルおよび二次コイルを巻いた構成を有する。磁気ヘッドは、一次コイルに直流バイアス電流を供給し、紙葉類Ｐに含まれる磁性体が通過した時における磁束の変化を二次コイルにより検出する。これにより、磁気ヘッドは、紙葉類Ｐの磁性体量に応じて変化する磁性信号を生成する。磁気検出部２５０は、生成した磁性信号を検知情報処理部２８０に供給する。
【００３６】
下面励起光検出部２６０は、紙葉類Ｐの下面の励起光を検出する。下面励起光検出部２６０により検出される励起光には、蛍光および燐光が含まれる。下面励起光検出部２６０は、紙葉類Ｐの下面において検出された蛍光を示す下面蛍光情報を検知情報処理部２８０に供給する。下面励起光検出部２６０は、紙葉類Ｐの下面において検出された燐光を示す下面燐光信号を検知情報処理部２８０に供給する。
【００３７】
厚さ検出部２７０は、紙葉類Ｐの厚さを検出する。厚さ検出部２７０において、搬送ローラ２０５ｊの軸は、一方の端部を回転軸に固定されたアーム２０５ｌに接続されている。搬送ローラ２０５ｊは、搬送された紙葉類Ｐの厚さに応じて、搬送ローラ２０５ｋから離れる方向に移動する。厚さ検出部２７０は、搬送ローラ２０５ｊの移動量を検出することで、紙葉類Ｐの厚さを検出する。厚さ検出部２７０は、搬送方向における所定幅ごとに紙葉類Ｐの厚さを示す厚さ検出信号を検知情報処理部２８０に供給する。
【００３８】
検知情報処理部２８０は、透過画像検出部２１０、上面反射画像検出部２２０、下面反射画像検出部２３０、上面励起光検出部２４０、磁気検出部２５０、下面励起光検出部２６０、および厚さ検出部２７０と接続されている。それぞれの検出部から出力された信号は、検知情報処理部２８０へそれぞれ入力される。検知情報処理部２８０は、出力された信号に対してＡ／Ｄ変換処理を行う。また、検知情報処理部２８０は、Ａ／Ｄ変換処理が行われたデータに合わせて補正処理等の処理を施して、検知情報を生成する。検知情報処理部２８０は、生成された検知情報に基づいて、紙葉類Ｐの種類、方向、真偽、または汚損度等を判定する。
【００３９】
図５は、実施形態の紙葉類処理装置１のブロック図である。メインモジュール１０は、紙葉類処理装置１全体の動作を制御する第１の主制御部２０を備える。第１の主制御部２０は、例えばＣＰＵ（Central Processing Unit）等のプロセッサがプログラムメモリに格納されたプログラムを実行することにより実現される。また、第１の主制御部２０は、ＬＳＩ（Large Scale Integration）、ＡＳＩＣ（Application Specific Integrated Circuit）、またはＦＰＧＡ（Field-Programmable Gate Array）等のハードウェアにより実現されてもよい。第１の主制御部２０は、例えば、各モジュールの動作を制御するＣＰＵ２１と、制御プログラムや管理情報等を格納するメモリ２２とを備えている。ＣＰＵ２１は、判別処理部２００と接続され、処理券の計数結果などの種々の情報を送受信する。また、図示しないが、ＣＰＵ２１にはメインモジュール１０内の種々のセンサやモータが接続されており、ＣＰＵ２１はメインモジュール１０における紙葉類Ｐの搬送動作等を制御する。
【００４０】
第１の主制御部２０には、オペレータの操作を受け付ける操作部２５、モニタ２６、受信部４０が接続される。第１の主制御部２０には、操作部２５により受け付けられたオペレータの操作情報が供給される。第１の主制御部２０は、各種の情報を表示するようにモニタ２６を制御する。受信部４０は、通信ケーブル５０を介して紙葉類計数装置１００と接続される。受信部４０は、受信した情報を第１の主制御部２０に出力する。第１の主制御部２０は、判別処理部２００の判別結果、操作部２５により受け付けられた情報、および受信部４０により受信された情報に基づいて、紙葉類Ｐの計数結果を算出する。
【００４１】
整列モジュール３０は、整列モジュール３０の動作を制御する副制御部２８を備える。
また、施封モジュール６０は、施封モジュール６０の動作を制御する副制御部２９を備える。副制御部２８および副制御部２９は、ＬＡＮ（Local Area Network）ケーブル２７を介してメインモジュール１０の第１の主制御部２０に接続されている。ＣＰＵ２１は、副制御部２８に対して整列モジュール３０の動作指示を送信するとともに、副制御部２９に対して施封モジュール６０の動作指示を送信する。
【００４２】
以下、紙葉類計数装置１００について説明する。図６は、実施形態の紙葉類計数装置１００の外観を示す構成図である。図７は、実施形態の紙葉類計数装置１００の機能を示す構成図である。紙葉類計数装置１００は、例えば、図６に示すように、供給部１１０と、集積部１２０と、排出部１３０と、表示部１４０と、操作部１５０とを備える。紙葉類計数装置１００は、紙葉類処理装置１よりも小型であって、オペレータにより載置された紙葉類Ｐに対して計数処理を行う。
【００４３】
供給部１１０は、例えば、紙葉類Ｐが載置されるトレイと搬送ローラとを備える。供給部１１０は、オペレータによって紙葉類Ｐが載置され、操作部１５０が操作されたことに応じて紙葉類Ｐを取り込む。集積部１２０は、紙葉類Ｐを集積する。集積部１２０には、紙葉類計数装置１００により計数処理がされた紙葉類Ｐが搬送される。排出部１３０は、紙葉類計数装置１００により搬送された紙葉類Ｐが搬送されるトレイである。排出部１３０は、供給部１１０に載置された紙葉類Ｐのうち、計数処理がされなかった紙葉類Ｐが搬送される。表示部１４０は、各種の情報を表示する液晶ディスプレイである。操作部１５０は、オペレータの操作を受け付けるボタン等を備える。
【００４４】
紙葉類計数装置１００は、例えば、図７に示すように、第２の主制御部１６０と、計数部１７０と、送信部１８０とを備える。第２の主制御部１６０は、例えばＣＰＵ等のプロセッサがプログラムメモリに格納されたプログラムを実行することにより実現される。また、第２の主制御部１６０は、ＬＳＩ、ＡＳＩＣ、またはＦＰＧＡ等のハードウェアにより実現されてもよい。第２の主制御部１６０は、計数部１７０および送信部１８０を制御する。
【００４５】
計数部１７０は、例えば、搬送部１７２と、判別部１７４と、搬送制御部１７６とを備える。搬送部１７２は、搬送ベルト、搬送ローラおよび搬送モータ等を備える。搬送部１７２は、供給部１１０に載置された紙葉類Ｐを取り込んで判別部１７４に搬送する。判別部１７４は、例えば、画像センサや磁気センサ等の検出装置を備える。判別部１７４は、検出装置の検出結果に基づいて紙葉類Ｐの種類を判別し、判別結果を第２の主制御部１６０に出力する。搬送制御部１７６は、判別部１７４の判別結果に基づいて、紙葉類Ｐを集積部１２０または排出部１３０に振り分ける。搬送制御部１７６は、判別部１７４により紙葉類Ｐの種類が判別された紙葉類Ｐを集積部１２０に振り分け、判別部１７４により紙葉類Ｐの種類が判別されなかった紙葉類Ｐを排出部１３０に振り分ける。
【００４６】
第２の主制御部１６０は、判別部１７４の判別結果に基づいて、紙葉類Ｐを計数する。第２の主制御部１６０は、例えば、紙葉類Ｐの種類ごとに紙葉類Ｐの枚数を計数する。第２の主制御部１６０は、紙葉類Ｐの計数結果を送信部１８０により送信させる。この結果、第２の主制御部１６０による紙葉類Ｐの計数結果は、送信部１８０から受信部４０に送信されて、受信部４０により受信される。
【００４７】
以下、実施形態の紙葉類処理システムにおける紙葉類Ｐの計数結果について説明する。図８は、実施形態の紙葉類処理装置１の計数結果、および実施形態の紙葉類計数装置１００の計数結果を示す図である。紙葉類処理システムの紙葉類Ｐの計数結果３００には、紙葉類処理装置１による紙葉類Ｐの計数結果と、紙葉類計数装置１００による紙葉類Ｐの計数結果とが含まれる。紙葉類処理装置１による紙葉類Ｐの計数結果は、処理券（真券）の計数結果３０２−１である。処理券の計数結果３０２−１は、判別処理部２００により生成される。リジェクト券の計数結果３０４−１は、偽券の計数結果３０６と、判別不能券の計数結果３０８とを合計したものである。偽券の計数結果３０６は、オペレータの手作業による手計数結果に基づく操作部２５の操作によって紙葉類処理装置１に受け付けられる。判別不能券の計数結果３０８には、処理券の計数結果３０２−２と、判別不能券の計数結果３０４−２とが含まれる。処理券の計数結果３０２−２は、判別部１７４により生成される。判別不能券の計数結果３０４−２は、オペレータの手作業による手計数結果に基づく操作部２５の操作によって紙葉類処理装置１に受け付けられる。
【００４８】
以下、実施形態の紙葉類処理システムにおける紙葉類Ｐの計数結果について説明する。図９は、実施形態の紙葉類処理システムの全体の処理の流れ（紙葉類処理方法）を示すフローチャートである。なお、図９の処理は、例えば、バッチカードＢＣが挿入された複数の紙葉類Ｐごとに実施される。
【００４９】
実施形態の紙葉類処理装置１は、処理対象の紙葉類Ｐに関する情報を入力する（ステップＳ１００）。紙葉類処理装置１は、例えば、バーコードＢＣａを解読することにより、アカウント番号、および紙葉類Ｐの計数合計量等の情報を入力する。なお、処理対象の紙葉類Ｐに関する情報は、紙葉類Ｐの処理を依頼する依頼者が操作する外部装置により送信された情報であってもよい。
【００５０】
次に、紙葉類処理装置１は、処理対象の紙葉類Ｐを処理する（ステップＳ１０２）。紙葉類処理装置１は、処理対象の紙葉類Ｐのうち、偽券をリジェクト部１８ａに集積させ、判別不能券をリジェクト部１８ｂに集積させる。
【００５１】
次に、リジェクト部１８ｂに集積された判別不能券は、例えばオペレータの手作業によって、紙葉類計数装置１００の供給部１１０に載置される。紙葉類計数装置１００は、供給部１１０に載置された紙葉類Ｐを計数する（ステップＳ１０４）。紙葉類計数装置１００は、供給部１１０に載置された紙葉類Ｐのうち、計数された紙葉類Ｐを集積部１２０に集積し、計数されなかった紙葉類Ｐを排出部１３０に排出する。紙葉類計数装置１００は、処理券の計数結果３０２−２を送信部１８０から紙葉類処理装置１に送信させ、紙葉類処理装置１は、受信部４０により処理券の計数結果３０２−２を受信する（ステップＳ１０６）。送信部１８０から送信される処理券の計数結果３０２−２は、券種と枚数に基づく計数合計量とが対応した情報であってもよく、紙葉類Ｐが紙幣である場合において券種と合計金額が対応した情報であってもよい。
【００５２】
リジェクト部１８ａに集積された偽券、および排出部１３０に排出された判別不能券は、オペレータの手作業によって計数される。紙葉類処理装置１は、操作部２５の操作に基づいて、手作業で計数された偽券の計数結果３０６、および排出部１３０に排出された判別不能券の計数結果３０４−２を受け付ける（ステップＳ１０８）。
【００５３】
第１の主制御部２０は、処理券の計数結果３０２−１と、紙葉類計数装置１００の計数結果３０２−２と、偽券の計数結果３０６と、判別不能券の計数結果３０４−２とを統合することで、処理対象の紙葉類Ｐの計数結果３００を得る（ステップＳ１１０）。第１の主制御部２０は、ステップＳ１００において入力した情報と、処理対象の紙葉類Ｐの計数結果３００とを照合する（ステップＳ１１２）。第１の主制御部２０は、例えば、照合した結果をモニタ２６に表示させる。
【００５４】
図１０は、実施形態の紙葉類処理装置１において処理対象の紙葉類Ｐの計数結果３００を生成する処理の流れを示すフローチャートである。まず、第１の主制御部２０は、ステップＳ１０２において判別処理部２００により生成された処理券の計数結果３０２−１を、第１の主制御部２０のメモリ２２に記憶させる（ステップＳ２００）。次に、第１の主制御部２０は、紙葉類計数装置１００により送信された処理券の計数結果３０２−２を受信したか否かを判定する（ステップＳ２０２）。
【００５５】
第１の主制御部２０は、処理券の計数結果３０２−２を受信していない場合には待機し、処理券の計数結果３０２−２を受信したと判定した場合に手計数結果を表示させる（ステップＳ２０４）。第１の主制御部２０は、受信した処理券の計数結果３０２−２を、オペレータの手作業によって計数された手計数結果として表示させる。図１１は、実施形態の紙葉類処理装置１に表示させる手入力画面４００の一例を示す図である。手入力画面４００には、例えば、券種と計数結果との対応テーブル４０２と、照合開始ボタン４０６とが含まれる。第１の主制御部２０は、受信部４０により受信した処理券の計数結果３０２−２に基づいて、対応テーブル４０２における券種に対応した手入力の計数結果を更新する。
【００５６】
第１の主制御部２０は、操作部２５により受け付けられた操作に基づいて、偽券の計数結果３０６、および判別不能券の計数結果３０４−２の手入力が完了したか否かを判定する（ステップＳ２０６）。第１の主制御部２０は、例えば、オペレータの操作に基づいて、対応テーブル４０２における券種が指定され、偽券の計数結果３０６、および判別不能券の計数結果３０４−２に対応した数量の入力を受け付けたことに応じて、当該受け付けた数量を合算し、偽券の計数結果３０６、および判別不能券の計数結果３０４−２の情報を、メモリ２２に記憶させる。その後、第１の主制御部２０は、照合開始ボタン４０６を指定する操作を受け付けた場合に、手入力が完了したと判定する。第１の主制御部２０は、手入力が完了したと判定した場合にはステップＳ２０８に処理を進め、手入力が完了していないと判定した場合には待機する。
【００５７】
第１の主制御部２０は、処理券の計数結果３０２−２に、手入力された偽券の計数結果３０６と判別不能券の計数結果３０４−２とを加算して、対応テーブル４０２における手計数結果を更新する（ステップＳ２０８）。これにより、第１の主制御部２０は、加算した計数結果を操作部２５により受け付けられた紙葉類Ｐの枚数としてモニタ２６に表示させる。
【００５８】
第１の主制御部２０は、ステップＳ２００において記憶した処理券の計数結果３０２−１と、処理券の計数結果３０２−２、偽券の計数結果３０６および判別不能券の計数結果３０４−２の加算結果とを合計することで紙葉類Ｐの計数結果３００を算出し（ステップＳ２１０）、メモリ２２に記憶させる。
【００５９】
以上説明した第１の実施形態の紙葉類処理システムによれば、偽券と判別された紙葉類Ｐをリジェクト部１８ａに集積し、判別不能券と判別された紙葉類Ｐをリジェクト部１８ｂに集積し、リジェクト部１８ｂに集積した紙葉類Ｐを紙葉類計数装置１００により計数して、処理券の計数結果３０２−２を紙葉類処理装置１に送信することができる。これにより、第１の実施形態の紙葉類処理システムによれば、判別不能券であると判別された紙葉類Ｐの全部を手作業により計数する必要が無く、紙葉類Ｐの処理効率を向上させることができる。
【００６０】
また、第１の実施形態の紙葉類処理システムによれば、リジェクト部１８ａに集積された偽券を紙葉類計数装置１００により計数するのではなく手作業により計数するので、紙葉類処理システムとしての偽券の判別性能を低下させることがない。すなわち、リジェクト部１８ａおよび１８ｂの双方に集積された紙葉類Ｐを紙葉類計数装置１００により処理した場合には、紙葉類計数装置１００の判別結果に基づいて偽券が判別されてしまう。これに対し、第１の実施形態の紙葉類処理システムによれば、リジェクト部１８ａに集積された偽券をオペレータの作業により計数し、偽券ではない紙葉類Ｐを紙葉類計数装置１００により計数するので、紙葉類処理システムの偽券の判別性能が紙葉類処理装置１の偽券の判別性能よりも低下することを防止することができる。
【００６１】
また、第１の実施形態の紙葉類処理システムによれば、紙葉類計数装置１００により送信された処理券の計数結果３０２−２を、手入力された偽券の計数結果３０６および判別不能券の計数結果３０４−２に加算し、加算した計数結果を手入力された計数結果として表示させる。これにより、第１の実施形態の紙葉類処理システムによれば、紙葉類計数装置１００の計数結果を、手入力された計数結果としてオペレータに確認させることができる。
【００６２】
（第２の実施形態）
以下、第２の実施形態の紙葉類処理システムについて説明する。なお、以下の説明において、第１の実施形態において説明した事項は、同じ符号を付することによりその詳細な説明を省略する。第２の実施形態の紙葉類処理システムは、紙葉類計数装置１００によりバッチカードＢＣのバーコードＢＣａにエンコードされた情報を読み取り、紙葉類計数装置１００により読み取られた情報を紙葉類処理装置１に送信する点で、第１の実施形態とは異なる。
【００６３】
第２の実施形態の紙葉類処理システムにおいて、メインモジュール１０は、例えば、判別処理部２００によりバッチカードＢＣであることが検出されたバッチカードＢＣをリジェクト部１８ａまたはリジェクト部１８ｂに搬送する。そして、バッチカードＢＣは、オペレータの手作業によって紙葉類計数装置１００の供給部１１０に載置される。判別部１７４は、バッチカードＢＣが搬送された場合に、バッチカードＢＣを読み取って読み取り情報を第２の主制御部１６０に出力する。第２の主制御部１６０は、読み取り情報を解析して、バーコードＢＣａにエンコードされた情報を解読して、送信部１８０から受信部４０に送信させる。これにより、紙葉類処理装置１は、バーコードＢＣａにエンコードされた情報を受信部４０により受信する。
【００６４】
紙葉類処理装置１は、ステップＳ１００において、受信部４０により受信した情報に含まれるバッチカード番号、アカウント番号、および紙葉類Ｐの計数合計量（計数量情報）を入力する。紙葉類処理装置１は、ステップＳ１１０においてバッチカードＢＣに対応したバッチカード番号およびアカウント番号に対応づけて紙葉類Ｐの計数結果３００を記憶する。紙葉類処理装置１は、ステップＳ１１２において、ステップＳ１１０において記憶した紙葉類Ｐの計数結果３００と、受信部４０により受信した紙葉類Ｐの計数合計量とに基づいて、情報の照合を行う。
【００６５】
以上説明した第２の実施形態の紙葉類処理システムによれば、バッチカードＢＣの処理を紙葉類計数装置１００により行うことにより、紙葉類処理装置１においてバッチカードＢＣの処理を行う必要がなく、紙葉類Ｐの処理効率を向上させることができる。
【００６６】
以上説明した少なくともひとつの実施形態によれば、紙葉類処理装置１が、処理対象の紙葉類Ｐを判別し、処理券であると判別された紙葉類Ｐを計数するとともに、排除券であると判別した紙葉類Ｐを集積するステップと、紙葉類計数装置１００が、排除券を計数し、排除券の計数結果の情報を紙葉類処理装置１により送信するステップと、紙葉類処理装置１が、紙葉類計数装置１００により送信された排除券の計数結果の情報を受信するステップと、紙葉類処理装置１が、オペレータの操作を受け付けて紙葉類Ｐの計数結果を入力するステップと、紙葉類処理装置１が、処理券の計数結果（３０２−１）と、オペレータの操作に基づく紙葉類の計数結果（３０６または３０４−２）と、受信した排除券の計数結果（３０２−２）の情報とに基づいて、処理対象の紙葉類Ｐの計数結果を算出するステップと、を持つことにより、排除券の処理効率を向上させることができ、この結果、処理対象の紙葉類Ｐの処理効率を向上させることができる。
【００６７】
上記実施形態は、以下のように表現することができる。
紙葉類処理装置が、処理対象の紙葉類を判別し、処理券であると判別された紙葉類を計数するとともに、排除券であると判別した紙葉類を集積するステップと、
紙葉類計数装置が、前記集積部に集積された排除券を計数し、前記排除券の計数結果の情報を前記紙葉類処理装置により送信するステップと、
前記紙葉類処理装置が、前記紙葉類計数装置により送信された前記排除券の計数結果の情報を受信するステップと、
前記紙葉類処理装置が、オペレータの操作を受け付けて前記紙葉類の計数結果を入力するステップと、
前記紙葉類処理装置が、前記処理券の計数結果と、前記オペレータの操作に基づく前記紙葉類の計数結果と、前記受信した排除券の計数結果の情報とを合算して前記処理対象の紙葉類の計数結果を算出するステップと、
を備える、紙葉類処理方法。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００６９】
上述した実施形態においては、リジェクト部１８ａに集積された偽券をオペレータの作業により計数し、リジェクト部１８ｂに集積された紙葉類Ｐを紙葉類計数装置１００により計数していたが、これに限らない。紙葉類処理装置１は、例えば、処理対象の紙葉類Ｐのうち偽券が含まれる割合が少なく、または偽券であっても処理対象の紙葉類Ｐの計数結果に影響が少ない低額券を処理する場合、オペレータの判断によって、リジェクト部１８ａおよび１８ｂの双方を紙葉類計数装置１００により計数させてもよい。この場合、紙葉類処理システムによれば、紙葉類Ｐの処理効率をさらに向上させることができる。また、紙葉類処理システムによれば、リジェクト部１８ａおよび１８ｂのうち一方の紙葉類Ｐを紙葉類計数装置１００により計数させる処理方法や、リジェクト部１８ａおよび１８ｂの双方に集積された紙葉類Ｐを紙葉類計数装置１００により計数させる処理方法を選択可能にしてもよい。
【符号の説明】
【００７０】
１…紙葉類処理装置、１０…メインモジュール、１６…バーコードリーダ、１８ａ…リジェクト部、１８ｂ…リジェクト部、２０…第１の主制御部、２２…メモリ、２５…操作部、２６…モニタ、４０…受信部、５０…通信ケーブル、１００…紙葉類計数装置、１１０…供給部、１２０…集積部、１３０…排出部、１６０…第２の主制御部、１７０…計数部、１７２…搬送部、１７４…判別部、１７６…搬送制御部、１８０…送信部、２００…判別処理部、３００…紙葉類Ｐの計数結果、３０２−１…処理券の計数結果、３０２−２…処理券の計数結果、３０４−１…リジェクト券の計数結果、３０４−２…判別不能券の計数結果、３０６…偽券の計数結果、３０８…判別不能券の計数結果、４００…手入力画面、４０２…対応テーブル
【図１】
0006546047.tif 000002
【図２】
0006546047.tif 000003
【図３】
0006546047.tif 000004
【図４】
0006546047.tif 000005
【図５】
0006546047.tif 000006
【図６】
0006546047.tif 000007
【図７】
0006546047.tif 000008
【図８】
0006546047.tif 000009
【図９】
0006546047.tif 000010
【図１０】
0006546047.tif 000011
【図１１】
0006546047.tif 000012